(57)【要約】【課題】被綴込物５を挿通保持する一対の綴じ片部２０からなる綴じ帯２と、前記綴じ片部２０を挿通可能な貫通孔が形成された細長い押え板１と、前記押え板１に沿った摺動によって前記綴じ片部２０を前記押え板１に係止させるスライド部材３とを有する綴じ具において、被綴込物５の増加や落下時などにおいても分解されにくく被綴込物５をしっかりと綴じ込むことができる綴じ具を提供すること。【解決手段】押え板１は、貫通孔が形成された下側挟持板１１と、前記下側挟持板１１に重ね合わせて前記綴じ片部２０を挟持する上側挟持板１２とを有し、前記上側及び下側挟持板１２，１１の対向内面には、前記綴じ片部２０を収容保持する保持溝部が形成されており、前記スライド部材３は、摺動によって前記上側挟持板１２と下側挟持板１１とを重ね合わせ状態に固定又は前記固定を解除する構成であること。【選択図】　　図１
2004122578.tif 000002
【特許請求の範囲】
【請求項１】
紙葉類等の被綴込物を挿通保持する可撓性を有する一対の綴じ片部からなる綴じ帯と、前記綴じ片部を挿通可能な貫通孔が形成された細長い押え板と、前記押え板に沿って摺動自在であり且つ摺動によって前記綴じ片部を前記押え板に係止させるスライド部材とを有する綴じ具において、
前記押え板は、前記貫通孔が形成された下側挟持板と、前記下側挟持板に重ね合わせることで前記綴じ片部を抜け止め状態に挟持する上側挟持板とを有し、
前記上側及び下側挟持板の対向内面には、前記綴じ片部を収容保持すると共に前記綴じ片部の先端部を外側に逃がす保持溝部が形成されており、
前記スライド部材は、摺動によって前記上側挟持板と下側挟持板とを重ね合わせ状態に固定又は前記固定を解除する構成であることを特徴とする綴じ具。
【請求項２】
請求項１に記載の綴じ具において、
前記スライド部材は、前記上側挟持板の上面に摺動自在に重ね合わされるスライド板と、前記スライド板から垂下されて前記上側及び下側挟持板に摺動自在に挿通されると共に摺動によって前記下側挟持板に係合される係合脚片とを有することを特徴とする綴じ具。
【請求項３】
請求項２に記載の綴じ具において、
前記上側及び下側挟持板には、前記係合脚片を挿通可能な大径孔と、前記大径孔に連通すると共に前記係合脚片に係合して挿通方向に抜け止め状態に保持する長孔とを有する係止孔が長手方向に沿ってそれぞれ形成されており、
前記下側挟持板の係止孔は、重ね合わせ状態において前記上側挟持板の長孔に連通するが前記上側挟持板の大径孔には連通しないように形成されることを特徴とする綴じ具。
【請求項４】
請求項２又は３に記載の綴じ具において、
前記スライド板は、前記上側挟持板とほぼ同形であり、前記上側挟持板と下側挟持板とが重ね合わせ状態に固定されるときに前記上側挟持板に一致して重なり合うことを特徴とする綴じ具。
【請求項５】
請求項１ないし４のいずれかに記載の綴じ具において、
前記上側挟持板は、ヒンジ部材によって前記下側挟持板に連結されていることを特徴とする綴じ具。
【請求項６】
請求項１ないし５のいずれかに記載の綴じ具において、
前記保持溝部は、前記綴じ片部を前記押え板の長手方向に沿って収容保持し得ると共に、前記長手方向に直交する姿勢でも収容保持し得ることを特徴とする綴じ具。
【請求項７】
請求項６に記載の綴じ具において、
前記保持溝部は、前記綴じ片部を前記押え板の長手方向に沿った姿勢で嵌入保持する第１保持溝と、前記長手方向に直交する姿勢で嵌入保持する第２保持溝とからなることを特徴とする綴じ具。
【請求項８】
請求項７に記載の綴じ具において、
前記第１及び第２保持溝は、前記上側及び下側挟持板のいずれか一方の対向内面に形成されており、
他方の対向内面には、前記第１又は第２保持溝に嵌入保持された綴じ片部に係合する係合突起が突出形成されていることを特徴とする綴じ具。
【請求項９】
請求項７又は８に記載の綴じ具において、
前記第１及び第２保持溝の開放端縁には、前記第綴じ片部の上方への脱出を防止する一対の保持片が設けられていることを特徴とする綴じ具。
【発明の詳細な説明】
【０００１】
【発明の属する技術分野】
本発明は、紙葉類等の被綴込物を綴じ込ませるファイルに利用される綴じ具に関する。
【０００２】
【従来の技術】
従来から、紙葉類等の被綴込物を綴じ込ませるファイルとして図１４や図１５に示されるようなものが広く利用されている。
図１４のファイルに用いられている綴じ具は、被綴込物５に形成された二つ綴じ孔に対応する一対の貫通孔が設けられた押え板１と、前記綴じ孔と貫通孔とを挿通する弾性合成樹脂製の一対の綴じ片部２０を有する綴じ帯２と、前記押え板１に長手方向に沿って摺動自在に保持され且つ摺動によって前記綴じ片部２０を前記押え板１に押え付けて係止する一対のスライド部材３とから構成されている。
【０００３】
そのため、ファイル台紙４の背表紙部４０に連設された折込み片部４１に前記綴じ帯２を取付けた後、前記綴じ片部２０に被綴込物５、前記押え板１を順に挿通させる。次に、スライド部材３を図１４中の矢印の方向にそれぞれ摺動させて前記綴じ片部２０を前記押え板１の長手方向に沿って係止することで被綴込物５を綴じ込ませることができる。
【０００４】
また、図１５のファイルに用いられている綴じ具は、前述の例と同様に、綴じ孔に対応する一対の貫通孔が設けられた押え板１と、一対の綴じ片部２０を有する綴じ帯２と、前記押え板１に長手方向に沿って摺動自在に外嵌されるスライド部材３とから構成されている。前記スライド部材３には、前記綴じ片部２０を挿通可能なＶ字状の切欠部３６とこの切欠部３６に連通すると共に前記綴じ片部２０を押圧状態で収容可能な係止溝３７が形成されている。
【０００５】
そのため、前記綴じ片部２０を前記押え板１及び前記スライド部材３に挿通した後、前記押え板１に直交する姿勢となるように前記綴じ片部２０を案内しながら前記スライド部材３を図１５中の矢印の方向に摺動させて、前記綴じ片部２０を前記係止溝３７に収容保持させることで前記被綴込物５を綴じ込ませることができる。
【０００６】
また、図１４及び図１５のどちらの綴じ具とも、前記スライド部材３を逆方向に摺動させて前記係止を解除させることで、容易に前記被綴込物５を取出し又は差替えることができる。
【０００７】
【特許文献１】
特開平１１−７８３３４号公報
【特許文献２】
特開平７−２３７３８２号公報
【特許文献３】
特開平９−３１５０７３号公報
【０００８】
【発明が解決しようとする課題】
しかしながら、上記のいずれの綴じ具においても、前記綴じ帯２の綴じ片部２０は前記スライド部材３によって直接押圧された状態で前記押え板１に係止されている。そのため、例えば、綴じ込まれる被綴込物５の綴じ込み量が増加して前記被綴込物５の離反力の作用によって前記綴じ片部２０が前記スライド部材３の摺動方向に引っ張られる場合や、落下や閲覧などによって前記綴じ片部２０が揺動される場合などに、前記綴じ片部２０によって前記スライド部材３が逆方向に摺動されて、前記係止が解除され綴じ具が分解されるという問題がある。
【０００９】
また、上記の図１４と図１５の綴じ具は、いずれも前記押え板１に沿ってスライド部材３を摺動させることで被綴込物５を挿通保持した綴じ片部２０を係止する構成であり、前記綴じ片部２０を長くすることでより多くの被綴込物５を綴じ込むことができるようになっている。
【００１０】
しかしながら、図１４の綴じ具は、前記綴じ片部２０が押え板１に沿って係止されるから、伝票などの横長の被綴込物５を綴じ込むファイルに用いる場合には、ファイル台紙４から飛び出さないように前記綴じ片部２を短めに設定しなければならないため、多くの被綴込物５を綴じませることができないという問題がある。このような問題を解決するファイルとして、図１５のように、前記押え板１に直交する姿勢で前記綴じ片部２０を係止する綴じ具を用いたものがある。
【００１１】
このように、ファイル台紙４の規格や被綴込物５の量などに合わせて構成及び綴じ込み操作が異なる複数の綴じ具を利用することにより、綴じ込み又は分解作業において利用者を混乱させてしまうという問題がある。また、ファイル台紙４の規格に合わせて複数の綴じ具を準備するためファイル単価も割高になっている。
【００１２】
本発明は、上記事情を鑑みてなされたものであり、『紙葉類等の被綴込物を挿通保持する可撓性を有する一対の綴じ片部からなる綴じ帯と、前記綴じ片部を挿通可能な貫通孔が形成された細長い押え板と、前記押え板に沿って摺動自在であり且つ摺動によって前記綴じ片部を前記押え板に係止させるスライド部材とを有する綴じ具』において、被綴込物の増加や落下時などにおいても分解されにくく被綴込物をしっかりと綴じ込むことができる綴じ具を提供することを第１の課題とする。また、被綴込物の形状や量に左右されることなく幅広い規格のファイル台紙等に共用することができる綴じ具を提供することを第２の課題とする。
【００１３】
【課題を解決するための手段】
＊１項
上記課題を解決するための本発明の技術的手段は、『前記押え板は、前記貫通孔が形成された下側挟持板と、前記下側挟持板に重ね合わせることで前記綴じ片部を抜け止め状態に挟持する上側挟持板とを有し、
前記上側及び下側挟持板の対向内面には、前記綴じ片部を収容保持すると共に前記綴じ片部の先端部を外側に逃がす保持溝部が形成されており、
前記スライド部材は、摺動によって前記上側挟持板と下側挟持板とを重ね合わせ状態に固定又は前記固定を解除する構成である』ことを特徴とするものである。このものでは、下側挟持板の貫通孔に挿通された一対の綴じ片部を上側挟持板によって挟み込んで抜け止め状態とした後、スライド部材の摺動によって前記上側挟持板と下側挟持板とを重ね合わせ状態に固定することで前記綴じ片部を押え板に係止させている。つまり、前記綴じ片部はスライド部材によって間接的に係止されることになる。そのため、前記綴じ片部の摺動又は揺動によって前記スライド部材が摺動されて前記綴じ片部の係止が不用意に解除されることがない。
【００１４】
＊２項
１項において、『前記スライド部材は、前記上側挟持板の上面に摺動自在に重ね合わされるスライド板と、前記スライド板から垂下されて前記上側及び下側挟持板に摺動自在に挿通されると共に摺動によって前記下側挟持板に係合される係合脚片とを有する』ことを特徴とするものでは、前記スライド部材を摺動するときに必然的に手や指によって前記スライド板を上方から押え付けることとなるから、下方に重ね合わされた前記上側及び下側板挟持板も同様に押圧される。そのため、一方の手で前記上側及び下側挟持板を重ね合わせ状態に押圧しながら、他方の手で前記スライド板を摺動させて前記重ね合わせ状態に固定する必要がない。これにより、片手でスライド部材を摺動させるだけで容易に前記綴じ片部を係止することができる。
【００１５】
＊３項
２項において、『前記上側及び下側挟持板には、前記係合脚片を挿通可能な大径孔と、前記大径孔に連通すると共に前記係合脚片に係合して挿通方向に抜け止め状態に保持する長孔とを有する係止孔が長手方向に沿ってそれぞれ形成されており、
前記下側挟持板の係止孔は、重ね合わせ状態において前記上側挟持板の長孔に連通するが前記上側挟持板の大径孔には連通しないように形成される』ことを特徴とするものでは、前記上側挟持板の大径孔に係合脚片を挿通させて前記スライド部材を摺動させると、前記係合脚片が前記長孔に係合されるから、前記スライド部材を上側挟持板に取付けることができる。そして、前記上側挟持板を前記係合脚片が下側挟持板の大径孔に挿通するように重ね合わせて前記スライド板を摺動させると、前記係合脚片が下側挟持板の長孔に係合されるから、前記上側挟持板と下側挟持板とを重ね合わせ状態に固定することができる。このとき、前記係合脚片は、常に前記上側挟持板の長孔に係合されているから、前記スライド部材と上側挟持板とが分離することがない。
そのため、前記スライド部材と上側挟持板との取付け及び取外しが容易であり、綴じ具の組立て及び分解を簡単に行うことできる。
【００１６】
＊４項
２項又は３項において、『前記スライド板は、前記上側挟持板とほぼ同形であり、前記上側挟持板と下側挟持板とが重ね合わせ状態に固定されるときに前記上側挟持板に一致して重なり合う』ことを特徴とするものでは、前記上側挟持板と下側挟持板とが重ね合わせ状態に固定されるときに前記スライド板と上側挟持板とが一致して重なり合うから、不用意な接触や衝撃によって前記スライド板が摺動されて前記綴じ片部の係止が解除されるようなことが起こりにくい。そのため、落下時や閲覧時などにも綴じ具が容易に分解されにくく被綴込物をしっかりと綴じ込むことができる。
【００１７】
＊５項
１項ないし４項のいずれかにおいて、『前記上側挟持板は、ヒンジ部材によって前記下側挟持板に連結されている』ことを特徴とするものでは、前記上側挟持板を下側挟持板に重ね合わせるだけで位置決めできるから前記綴じ片部の係止を容易に行うことができる。また、前記スライド部材の摺動と共に前記上側挟持板が移動されて前記重ね合わせ状態がズレることがない。そのため、綴じ具への被綴込物の綴じ込み作業が容易である。
【００１８】
＊６項
１項ないし５項のいずれかにおいて、『前記保持溝部は、前記綴じ片部を前記押え板の長手方向に沿って収容保持し得ると共に、前記長手方向に直交する姿勢でも収容保持し得る』ことを特徴とするものでは、ファイル台紙の規格や被綴込物の綴じ込み量等に合わせて前記押え板に挟持させる前記綴じ片部の係止姿勢を変更することができる。そのため、本発明の綴じ具はファイル台紙等の規格によって利用できる範囲が制限されにくく、幅広い規格のファイル台紙等に共用することができる。
また、前記下側挟持板の貫通孔が前記綴じ片部を回動自在に挿通する構成のものでは、被綴込物を挿通保持した状態で前記綴じ片部を回動させて係止姿勢を変更することができるから、前記押え板に直交する姿勢で係止されている前記綴じ片部を、閲覧時に前記押さえ板に沿った係止姿勢に変更することができる。これにより、捲ったページが前記綴じ片部によって押し戻される不具合がなく被綴込物を閲覧し易い。
【００１９】
＊７項
６項において、『前記保持溝部は、前記綴じ片部を前記押え板の長手方向に沿った姿勢で嵌入保持する第１保持溝と、前記長手方向に直交する姿勢で嵌入保持する第２保持溝とからなる』ことを特徴とするものでは、前記綴じ片部は前記第１又は第２保持溝に嵌合された状態で保持されて帯幅方向へ揺動しないから、前記綴じ片部の係止が不用意に解除されることがない。そのため、落下時の衝撃や外力などによっても綴じ具が分解されにくく被綴込物をしっかりと綴じ込むことができる。
【００２０】
＊８項
７項において、『前記第１及び第２保持溝は、前記上側及び下側挟持板のいずれか一方の対向内面に形成されており、
他方の対向内面には、前記第１又は第２保持溝に嵌入保持された綴じ片部に係合する係合突起が突出形成されている』ことを特徴とするものでは、前記突条部と係合突起との係合によって前記綴じ片部は移動阻止状態に係止されるから、閲覧時など作用する力によって前記綴じ片部が引き戻されて被綴込物の綴じ込みが緩んだり、前記綴じ片部が前記押え板から脱離することが防止される。そのため、被綴込物をしっかりと綴じ込むことができる。
【００２１】
＊９項
７項又は８項において、『前記第１及び第２保持溝の開放端縁には、前記第綴じ片部の上方への脱出を防止する一対の保持片が設けられている』ことを特徴とするものでは、前記綴じ片部が前記保持片によって前記第１又は第２保持溝に嵌入保持されるため、前記綴じ片部をズレなく係止することができる。そのため、綴じ具への被綴込物の綴じ込み作業が容易である。
【００２２】
【発明の効果】
上記のような構成であるから本発明は次の特有の効果を有する。
本発明の綴じ具においては、被綴込物を挿通保持する綴じ片部がスライド部材によって間接的に係止されており、前記綴じ片部の摺動又は揺動によって前記スライド部材が摺動されて前記綴じ片部の係止が解除されにくいから、被綴込物の増加による離反力や落下・閲覧時の衝撃などによって前記綴じ片部が前記スライド部材の摺動方向に引っ張られるときにも分解されにくく、前記被綴込物をしっかりと綴じ込むことができる。
【００２３】
また、２項のものによれば、スライド部材を上側挟持板に摺動自在に重ね合わされるスライド板と、前記スライド板から垂下される係合脚片とを有する構成としたことで、片手でスライド部材を摺動させるだけで容易に前記綴じ片部を係止することができる。
【００２４】
また、３項のものによれば、上側及び下側挟持板に係合脚片を挿通する大径孔と、前記係合脚片に係合する長孔とからなる係止孔を形成させたことで、前記スライド部材と上側挟持板との取付け及び取外しが容易であり、綴じ具の組立て及び分解を簡単に行うことができる。
【００２５】
また、４項のものによれば、スライド板を上側挟持板とほぼ同形として、上側挟持板と下側挟持板とが重ね合わせ状態に固定されるときに前記スライド板が前記上側挟持板に一致して重なり合う構成としたことで、落下時や閲覧時などに綴じ具が容易に分解されにくく被綴込物をしっかりと綴じ込むことができる。
【００２６】
また、５項のものによれば、上側挟持板をヒンジ部材によって下側挟持板に連結させたことで、綴じ具への被綴込物の綴じ込み作業が容易である。
【００２７】
また、６項のものによれば、保持部によって綴じ片部を押え板に沿った姿勢でも前記押え板に直交する姿勢でも挟持できる構成としたことで、本発明の綴じ具はファイル台紙等の規格によって利用できる範囲が制限されにくく、幅広い規格のファイル台紙等に共用することができる。
【００２８】
また、被綴込物を挿通保持した状態で前記綴じ片部が回動できる構成とすることで、前記押え板に直交する姿勢で係止されている前記綴じ片部を、閲覧時に前記押押え板に沿った係止姿勢に変更することができるため、捲ったページが前記綴じ片部によって押し戻される不具合がなく被綴込物を閲覧し易い。
【００２９】
また、７項のものによれば、綴じ片部を押え板に沿って嵌入可能な第１保持溝と、前記押え板に直交した姿勢で嵌入可能な第２保持溝とが形成された構成としたことで、落下時の衝撃や外力などによっても綴じ具が分解されにくく被綴込物をしっかりと綴じ込むことができる。
【００３０】
また、８項のものによれば、綴じ片部に形成させた複数の突条部と、挟持板に形成させた係合突起とが係合されることで、被綴込物をしっかりと綴じ込むことができる。
【００３１】
また、９項のものによれば、第１及び第２保持溝の開放端縁に保持片を形成させたことで、綴じ具への被綴込物の綴じ込み作業が容易である。
【００３２】
【発明の実施の形態】
以下に、本発明の実施の形態について添付図面を参照しながら詳述する。
本発明実施の形態の一例である綴じ具を利用したファイルを図１に示している。
この例のファイルは、被綴込物５の綴じ込み量に応じて背表紙部４０の横幅を調節することができる構成となっており、ファイル台紙４は、折込みによって綴じ具の押え板１を取付ける第１挟持片部４２と背表紙部４０とが形成された表紙部材４４と、前記背表紙部４０を引出し可能に収容する袋状の収容部４７と前記第１挟持片部４２と共に被綴込物５を挟持する第２挟持片部４３とが形成された裏表紙部材４５とからなっている。前記第１及び第２挟持片部４２，４３には前記被綴込物５の綴じ孔５０に対応すると共に前記綴じ帯２の綴じ片部２０を挿通する挿通孔４６がそれぞれ形成されている。
【００３３】
前記綴じ具は、図１に示されるように、被綴込物５を挿通保持する弾性合成樹脂製の一対の綴じ片部２０を有する綴じ帯２と、前記綴じ片部２０を挟持するように重ね合わされる上側挟持板１２と下側挟持板１１とからなる押え板１と、前記上側挟持板１２に摺動自在に重ね合わされると共に摺動によって前記上側挟持板１２と下側挟持板１１とを重ね合わせ状態に固定及び前記固定を解除するスライド部材３とから構成されている。
【００３４】
前記押え板１は、図２に示されるように、矩形状の上側挟持板１２と下側挟持板１１とを可撓性を有する帯状のヒンジ部材１７によって連結させた構成である。
【００３５】
前記下側挟持板１１には、綴じ片部２０を回動自在に挿通する正方形状の貫通孔１０と、前記下側挟持板１１の長手方向に沿って前記綴じ片部２０を嵌入保持すると共に前記綴じ片部２０の先端部を外側へ逃がす第１保持溝１３と、前記長手方向に直交する姿勢で前記綴じ片部２０を嵌入保持する第２保持溝１４と、後述するスライド部材３の係合脚片３０とを係合する係止孔６とが形成されている。また、前記第１保持溝１３の形成部分には、前記押え板１をファイル台紙４に取付けるためのビスＳを挿通する挿通孔１８が形成されている。
【００３６】
前記上側挟持板１２には、前記下側挟持板１１の第１又は第２保持溝１３，１４に嵌入保持された綴じ片部２０の表面に形成された突条部２５に係合可能な三角形状の係合突起１５，１６と、前記係合脚片３０を係合する係止孔７が形成されている。また、前記上側挟持板１２の上面側には、図３に示されるように、後述する前記スライド板３１の中央に長手方向に沿って形成された突条３２と嵌合する凹溝１２０と、前記スライド板３１に突設された係止片３５と係合する方形の凹部１２１がそれぞれ形成されている。前記凹部１２１は、前記係止脚片３０が前記下側挟持板１１の係止孔６の大径孔６０に挿通する位置から前記長孔６１に係合される位置までの摺動距離に一致する長さに設定されている。
【００３７】
前記係止孔６，７は、いずれも前記係合脚片３０を挿通可能な円形の大径孔６０，７０と、前記大径孔６０，７０に連通すると共に前記係合脚片３０の首部３３，３４に係合して長手方向に摺動自在であり且つ挿通方向に抜け止め状態に保持する長孔６１，７１とから構成されている。前記長孔６１，７１は、前記首部３３，３４に凹凸嵌合して前記係合脚片３０を長手方向に摺動自在に保持する薄肉の突出片部６２，７２から形成されている。また、前記下側挟持板１１の係止孔６は、図３に示されるように、前記上側挟持板１２の係止孔７の長孔７１の形成範囲Ｗと一致するように形成されている。
【００３８】
前記第１及び第２保持溝１３，１４は、前記綴じ片部２０を嵌入保持し得るように前記綴じ片部２０の帯幅と同程度に設定されており、前記第１及び第２保持溝１３，１４の開放端縁の先端側には前記綴じ片部２０を押し込み嵌入可能であり且つ前記第１及び第２保持溝１３，１４に嵌入保持された綴じ片部２０の上方への脱出を阻止する一対の保持片１３０，１４０が形成されている。
【００３９】
前記綴じ帯２は、図５に示されるように、円形の基端部２１と、前記被綴込物５を挿通保持する扁平な綴じ片部２０とからなる２本の綴じ帯部材２５からなり、前記基端部２１相互を薄肉の連結片２４によって連結した構成となっている。
【００４０】
前記綴じ片部２０には、ファイル台紙４への綴じ帯２の取付けが容易であり且つ前記綴じ片部２０の基端部２１側へ引き戻しを防止するために、前記ファイル台紙４の挿通孔４６にあたる部分を挿通方向に所定の角度だけ屈曲させた屈曲部２２が設けられている。
【００４１】
前記綴じ片部２０の表面には、前記上側挟持板１２の係合突起１５，１６と係合し得るように三角形状の突条部２５が帯幅方向に沿って全域にわたって形成されており、前記綴じ片部２０の先端部２２は前記被綴込物５の綴じ孔５０に挿通させ易いように先細に形成されている。また、前記綴じ片部２０と基端部２１との連結部には、前記基端部２１に対して前記綴じ片部２０を直立させ易いようにＶ字状の切欠部２３が形成されている。
【００４２】
前記スライド部材３は、図４（ａ）（ｂ）に示されるように、前記押え板１と同じ矩形状のスライド板３１と、前記スライド板３１から垂下されて前記上側挟持板１２及び下側挟持板１１の各係止孔６，７に係合する一対の円柱状の係合脚片３０とから構成されている。
【００４３】
前記スライド板３１の上面には、図１に示されるように、前記スライド板３１を指で押圧して長手方向に摺動させやすいように長さの異なる５本の滑り止め用の突起３６と、前記スライド板３１の摺動方向を示す矢印状の突起３７が形成されている。また、前記上側挟持板１２に摺接される下面には、図４（ａ）に示されるように、前記上側挟持板１２の凹溝１２０と凹凸嵌合する凸条３２と、前記上側挟持板１２の凹部１２１に片方向への摺動を阻止するように係合される三角形状の係合片３５が形成されている。
【００４４】
前記一対の係合脚片３０は、前記下側挟持板１１の係止孔６に係合して前記上側挟持板１２と下側挟持板１１とが重ね合わせ状態に固定されるときに、前記スライド板３１と上側挟持板１２とが一致して重なり合う位置に形成されており、前記係合脚片３０には、図４（ａ）（ｂ）に示されるように、前記上側挟持板１２の長孔７１の保持片部７２に嵌合保持されるように長手方向に沿って円周の一部を切欠いて形成させた首部３４と、前記下側挟持板１１の長孔６１の保持片部６２に嵌合保持されるように形成された断面円形の首部３３とがそれぞれ設けられている。
【００４５】
＊スライド部材３の押え板１への取付け
先ず、前記押え板１へのスライド部材３の取付けについて説明する。
図６に示されるように、前記スライド部材３の係合脚片３０を前記突条３２と凹溝１２０とが凹凸嵌合するように前記上側挟持板１２の大径孔７１に挿通させて、前記スライド板３１と上側挟持板１２とを摺動自在に重ね合わせる。このとき、前記スライド板３１の係合片３５は前記凹部１２１と係合されずに前記上側挟持板１２の上面に当接されるため、図８（ａ）に示されるように、前記スライド板３１は片側が前記上側挟持板１２から前記係合片３５の高さ分だけ浮き上がった状態で重ね合わされる。
【００４６】
この状態から図６中の矢印方向に前記スライド部材３を摺動させると、図８（ｂ）に示されるように、前記係合脚片３０の首部３４と長孔７１の保持片７２とが凹凸嵌合して前記係合脚片３０が挿通方向に対して抜け止め状態に保持される。また、前記係合脚片３０全体が長孔７１まで摺動されたとき、前記スライド板３１の係合片３５が前記上側挟持板１２の凹部１２１に係合するため、図８（ｂ）に示されるように、前記スライド板３１と上側挟持板１２とが密に重ね合わされる。これにより、前記スライド部材３が押え板１に取付けられる。
【００４７】
ここで、図７に示されるように、前記スライド部材３を図６中の矢印方向に摺動可能な位置まで摺動させることで、前記下側挟持板１１の大径孔６０に挿通し得るように前記係合脚片３０を位置決めすることができる。
【００４８】
＊被綴込物５の綴じ込みについて
次に、上記の綴じ具を用いたファイルへの被綴込物５の綴じ込み作業について説明する。
前記ファイル台紙４の挟持片部４３の挿通孔４６に前記綴じ片部２０をそれぞれ挿通させた後に、前記綴じ片部２０にファイルに綴じ込む被綴込物５を挿通保持させる。そして、前記被綴込物５の綴じ込み量に合わせて前記裏表紙部材４５の収容部４７から背表紙部４０を引出してその幅を調節した後に、前記押え板１が取付けられた挟持片部４２の挿通孔４６及び前記下側挟持板１１の貫通孔１０に前記綴じ片部２０を挿通させる。
【００４９】
図９に示されるように、前記押え板１の長手方向に沿うように前記綴じ片部２０を前記第１保持溝１３に強制的に押し込んで前記綴じ片部２０を嵌入保持させる。このとき、前記綴じ片部２０は前記第１保持溝１３の一対の保持片１３０によって脱出阻止状態に保持される。
【００５０】
次に、図７の前記上側挟持板１２を前記下側挟持板１１に重ね合わせると、図１０及び図１２（ａ）に示されるように、前記係止脚片３０は前記下側挟持板１１の大径孔６１に挿通されて前記上側挟持板１２と下側挟持板１１とが密に重ね合わされる。また、図１０に示されるように、前記上側挟持板１２の下面に形成された係合突起１５が綴じ片部２０の突条部２５に係合される。
【００５１】
この状態から、図１０中の矢印方向に前記スライド部材３を摺動させると、図１２（ｂ）に示されるように、前記係合脚片３０の首部３３と長孔６１の保持片６２とが凹凸嵌合して前記係合脚片３０が挿通方向に対して抜け止め状態に保持される。これにより、前記上側挟持板１２と下側挟持板１１とが密に重ね合わされた状態で固定されるから、前記上側及び下側挟持板１２，１１に挟持されている綴じ片部２０は前記押え板１に抜け止め状態に係止されることとなる。このとき、前記スライド板３と押え板１とは一致した状態で重ね合わされる。
【００５２】
また、前記スライド部材３を逆方向に摺動させて前記係合脚片３０による上側挟持板１２と下側挟持板１１との固定を解除させることで、前記綴じ片部２０の係止を解くことができる。
【００５３】
上記のような構成であるから、この例の綴じ具を用いたファイルにおいては、被綴込物５を挿通保持する綴じ片部２０がスライド部材３によって間接的に係止されるため、従来例のように、前記綴じ片部２０の摺動又は揺動によって前記スライド部材３が摺動されて不用意に前記綴じ片部２０の係止が解除されることがない。そのため、前記被綴込物５の綴じ込み量の増加による離反力や落下・閲覧時の衝撃などによって前記綴じ片部２０が前記押え板１の長手方向に引っ張られるときにも前記綴じ具が分解されることがなく、前記被綴込物５をしっかりと綴じ込むことができる。
【００５４】
この例のものでは、前記上側挟持板１２に重ね合わされるスライド板３１から垂下される係合脚片３０と前記下側挟持板１１の係止孔６との係合によって前記上側挟持板１２と下側挟持板１１とを重ね合わせ状態に固定及び前記固定を解除する構成であるから、前記スライド板３１の上面を手や指で押え付けながら前記スライド部材３を摺動することで、前記上側挟持板１２と下側挟持板１１とを相互に密接した状態に押圧することができる。そのため、前記スライド部材３を片手で摺動させるだけで容易に前記綴じ片部２０を前記押え板１に係止させることができる。
【００５５】
この例のものでは、前記スライド部材３を前記上側挟持板１２に重ね合わせ状態として摺動させることで、前記スライド部材３を前記上側挟持板１２に抜け止め状態に取付けることができるため綴じ具の組立てが容易である。また、前記スライド部材３は、一旦前記上側挟持板１２に取付けられると、前記係合片３５と前記凹部１２１との係合によって、前記大径孔７０方向への摺動が阻止されるため、不用意な摺動によって前記スライド部材３が外れてしまうことがない。
【００５６】
また、前記スライド板３１は、前記上側挟持板１２と下側挟持板１１とが重ね合わせ状態に固定されるときに、前記押え板１に一致して重なり合うため、落下時や閲覧時などに前記スライド部材３が不用意に摺動されて綴じ具が分解されることがない。
【００５７】
また、前記上側挟持板１２と下側挟持板１１とをヒンジ部材１７によって連結させているから、綴じ具への被綴込物の綴じ込み業が容易であると共に、前記下側挟持板１１から取外された前記上側挟持板１２が紛失してしまうことがない。
【００５８】
この例のものでは、前記綴じ片部２０を前記下側挟持板１１の長手方向に沿って嵌入保持する第１保持溝１３と、前記長手方向に直交する姿勢で嵌入保持する第２保持溝１４とが形成されているから、ファイル台紙４の形状や前記被綴込物５の量に応じて、図１３に示されるように、前記綴じ片部２０を第２保持溝１４に嵌入保持させて、余剰な綴じ片部２０を前記被綴込物５側に逃がすこともできる。そのため、この例の綴じ具は、ファイル台紙等の規格によって利用できる範囲が制限されにくく、幅広い規格のファイル台紙等に共用することができる。
【００５９】
また、前記綴じ片部２０の帯幅に合わせて形成された第１及び第２保持溝１３，１４に前記綴じ片部２０を嵌入保持させているから、落下時の衝撃や外力などが作用する時にも前記綴じ片部２０が帯幅方向に揺動されて前記押え板１から脱落することない。そのため、綴じ具が分解されにくく被綴込物５をしっかりと綴じ込むことができる。また、第１及び第２保持溝１３，１４の上部開放端縁には一対の保持片１３０，１４０が設けられているから、嵌入させた綴じ片部２０が前自身の弾性復帰力によって記第１又は第２保持溝１３，１４から浮き上がることが阻止される。これにより、前記綴じ片部２０が前記第１又は第２保持溝１３，１４に嵌入された状態に維持されるように一方の手で前記綴じ片部２０を押え付けながら他方の手で前記上側挟持板１２を重ね合わせる必要がないから、綴じ具への被綴込物５の綴じ込み作業が容易である。
【００６０】
さらに、この例のものでは、前記下側挟持板１１の貫通孔１０は前記綴じ片部２０を回動自在に挿通するため、前記被綴込物５を挿通保持させた状態のままで前記綴じ片部２０の係止姿勢を容易に変更することができる。これにより、図１３に示されるように、前記綴じ片部２０が第２保持溝１４に嵌入保持されている場合に、閲覧時に前記被綴込物５の上面に重ねあわされている綴じ片部２０を第１保持溝１３に嵌入保持させることができる。これにより、捲ったページが前記綴じ片部２０によって押し戻されるという不具合がなく被綴込物５が閲覧し易い。また、閲覧後には、同様にして容易に前記綴じ片部２０の係止姿勢を元の状態に戻すことができる。
【００６１】
この例のものでは、図１１に示されるように、前記上側挟持板１２と下側挟持板１１とが重ね合わせ状態に固定されるときに、前記係合突起１５，１６と前記綴じ片部２０の突条部２５とが相互に噛み合うことで、前記綴じ片部２０は前記押え板１に移動阻止状態に挟持される。そのため、この綴じ具は被綴込物５の増加に伴なって前記綴じ片部２０を基端部２１側に引っ張る力が作用するときにも分解されにくく前記被綴込物５をしっかりと綴じ込むことができる。
【００６２】
また、この例のものでは、前記上側挟持板１２の凹溝１２０と前記スライド板３１の突条３２とが長手方向に摺動自在に凹凸嵌合する構成であるから、前記スライド部材３を摺動させるときに前記スライド板３１の幅方向への揺動が防止されるため、スムーズに前記綴じ片部２０を係止することができる。
【００６３】
また、前記スライド板３１の係合片３５と前記上側挟持板１２の凹部１２１との係合によって一旦取付けられたスライド部材３が容易に取外せない構成となっているため、前記スライド部材３が不用意に前記上側挟持板１２から外れてしまうことがない。
【００６４】
＊その他
本発明の綴じ具は上記の実施の形態に限られるものではない。
前述の例において、前記スライド部材３は、前記上側挟持板１２に重ね合わされるスライド板３１と、前記上側及び下側挟持板１２，１１に係合する係合脚片３０とから構成されているが、前記スライド部材３は摺動によって前記上側挟持板１２と下側挟持板１１とを重ね合わせ状態に固定又は前記固定を解除できる構成であれば、図１４の従来例に示されるように、前記綴じ片部２０それぞれに対して別個にスライド部材３が設けられた構成であっても、前記上側及び下側挟持板１２，１１の側面部に取付けられるものであってもよい。また、前記スライド部材３の摺動方向も前記押え板１の長手方向に限られるものでなく、前記押え板１の短辺方向に摺動される構成のものであってもよい。
【００６５】
前述の例において、前記綴じ帯２は一対の綴じ片部２０が互いに連結された構成となっているが、前記綴じ片部２０が非連結で互いに独立しているものであってもよい。
【００６６】
前述の例において、前記保持溝部は、前記下側挟持板１１に形成された第１保持溝１３と第２保持溝１４とからなり、前記綴じ片部２０の係止姿勢を変更することができる構成となっているが、従来例のように、前記綴じ片部２０を一方向のみに係止する構成であってもよい。また、前記上側及び下側挟持板１２，１１の対向する一対の保持溝部によって前記綴じ片部２０を保持する構成としてもよい。
【００６７】
前述の例において、前記押え板１は、ファイル台紙４の表紙部材４４に取付けられて前記第１挟持片部４２を介して被綴込物５を押えているが、従来例のように前記被綴込物５の上面に重ね合わされて、前記被綴込物５を直接押え付けるものであってもよい。
【００６８】
前述の例において、前記上側挟持板１２と下側挟持板１１は、前記スライド部材３の係合脚片３０と係止孔６，７とによって重ね合わせ状態に固定されているが、摺動によって前記上側挟持板１２と下側挟持板１１とを重ね合わせ状態に固定できるものであればよく、例えば、前記上側及び下側挟持板１２，１１の端縁部を重ね合わせ状態で挟持する構成であっても、前記押え板１に外嵌するものであってもよい。
【図面の簡単な説明】
【図１】本発明実施の形態における綴じ具を利用したファイルを示す説明図である。
【図２】本発明の綴じ具に用いられる押え板を示す斜視図である。
【図３】図２の押え板の底面図である。
【図４】（ａ）本発明の綴じ具に用いられるスライド部材の底面図である。
（ｂ）本発明の綴じ具に用いられるスライド部材の側面図である。
【図５】本発明の綴じ具に用いられる綴じ片部の斜視図である。
【図６】スライド部材と上側挟持板との係止方法を示す説明図である。
【図７】スライド部材と上側挟持板との係合状態を示す説明図である。
【図８】（ａ）図６のＡ−Ａ断面図である。
（ｂ）図７のＢ−Ｂ断面図である。
【図９】綴じ片部を第１保持溝に嵌入保持させた状態を示す説明図である。
【図１０】係合脚片と下側挟持板との係止方法を示す部分断面図である。
【図１１】本発明の綴じ具を用いたファイルの綴じ込み状態を示す部分断面図である。
【図１２】（ａ）図１０のＣ−Ｃ断面図である。
（ｂ）図１１のＤ−Ｄ断面図である。
【図１３】本発明の綴じ具の他の利用形態を示す説明図である。
【図１４】従来の綴じ具を示す説明図である。
【図１５】従来の綴じ具を示す説明図である。
【符号の説明】
（１）・・・押え板
（１０）・・・貫通孔
（１１）・・・下側挟持板
（１２）・・・上側挟持板
（１３）・・・第１保持溝
（１４）・・・第２保持溝
（１５）（１６）・・・係合突起
（２）・・・綴じ帯
（２０）・・・綴じ片部
（２５）・・・突条部
（３）・・・スライド部材
（３１）・・・スライド板
（３０）・・・係合脚片
（３３）（３４）・・・首部
（４）・・・ファイル台紙
（５）・・・被綴込物
（５０）・・・綴じ孔
（６）（７）・・・係止孔
（６０）（７０）・・・大径孔
（６１）（７１）・・・長孔
【図１】
2004122578.tif 000003
【図２】
2004122578.tif 000004
【図３】
2004122578.tif 000005
【図４】
2004122578.tif 000006
【図５】
2004122578.tif 000007
【図６】
2004122578.tif 000008
【図７】
2004122578.tif 000009
【図８】
2004122578.tif 000010
【図９】
2004122578.tif 000011
【図１０】
2004122578.tif 000012
【図１１】
2004122578.tif 000013
【図１２】
2004122578.tif 000014
【図１３】
2004122578.tif 000015
【図１４】
2004122578.tif 000016
【図１５】
2004122578.tif 000017